(57)【要約】【課題】コラージュ画像の作成に参加するユーザ数に関わらず、比較的短時間でコラージュ画像の作成が可能なコラージュ画像作成システム、方法及びプログラムを提供する。【解決手段】複数のユーザの携帯端末１００−１〜１００−Ｎは、ホストとして機能する１つの携帯端末１００−１と、クライアントとして機能するその他の携帯端末１００−２〜１００−Ｎ（１以上の第２携帯端末）とに役割分担が決められ、携帯端末１００−１と他の携帯端末１００−２〜１００−Ｎとの間で、コラージュ画像の作成に必要な通信を行うことができる。したがって、複数のユーザがコラージュ画像の作成に参加する場合でも、各携帯端末のユーザは、他のユーザによる画像の選択、編集等の操作を待たずに、コラージュ画像の作成に使用する画像の選択、及び選択した画像の編集等の操作を並行して行うことができ、比較的短時間でコラージュ画像を作成することが可能である。【選択図】  図１
2020166312.tif 000002
【特許請求の範囲】
【請求項１】
ホストとして機能する１つの第１携帯端末と、クライアントとして機能し、前記第１携帯端末と通信可能な１以上の第２携帯端末とから構成され、前記第１携帯端末に保存された第１画像及び前記第２携帯端末に保存された第２画像に基づいてコラージュ画像を作成するコラージュ画像作成システムであって、
前記第１携帯端末は、
第１表示部と、
コラージュ画像作成用の複数のレイアウトから１つのレイアウトを選択するレイアウト選択部と、
前記選択されたレイアウトを前記第１表示部に表示させる第１レイアウト表示制御部と、
前記第１携帯端末に保存された複数の画像からコラージュ画像の作成に使用する前記第１画像を選択する第１画像選択部と、
前記選択された前記第１画像を、前記第１表示部に表示された前記レイアウトの複数の枠のうち前記第１携帯端末に割り当てられた第１枠内に表示させる第１表示制御部と、
前記第１画像に対する編集指示を受け付ける第１編集指示受付部と、
前記第１編集指示受付部が受け付けた編集指示に応じて前記第１枠内に表示された前記第１画像を編集する第１編集部と、
前記選択されたレイアウトの情報を前記第２携帯端末に送信し、かつ前記第２携帯端末から前記第２携帯端末で選択された前記第２画像を受信する第１通信部と、を備え、
前記第２携帯端末は、
第２表示部と、
前記第１携帯端末から送信された前記レイアウトの情報に基づいて前記レイアウトを前記第２表示部に表示させる第２レイアウト表示制御部と、
前記第２携帯端末に保存された複数の画像からコラージュ画像の作成に使用する前記第２画像を選択する第２画像選択部と、
前記選択された前記第２画像を、前記第２表示部に表示された前記レイアウトの前記複数の枠のうち前記第２携帯端末に割り当てられた第２枠内に表示させる第２表示制御部と、
前記第２画像に対する編集指示を受け付ける第２編集指示受付部と、
前記第２編集指示受付部が受け付けた編集指示に応じて前記第２枠内に表示された前記第２画像を編集する第２編集部と、
前記第１携帯端末から送信された前記レイアウトの情報を受信し、かつ前記編集された前記第２画像を前記第１携帯端末に送信する第２通信部と、を備え、
前記第１携帯端末は、前記レイアウトの前記第１枠内に前記第１編集部により編集された前記第１画像を合成し、前記第２枠内に前記第２編集部により編集された前記第２画像を合成し、前記コラージュ画像を作成する画像合成部を備えるコラージュ画像作成システム。
【請求項２】
前記第１編集指示受付部は、前記第１画像の拡大、縮小、移動、回転及び画像処理内容のうちの少なくとも１つの編集指示を受け付け、
前記第１表示制御部は、前記第１編集指示受付部が受け付けた前記編集指示に基づいて処理された前記第１画像を、前記第１表示部に表示された前記レイアウトの前記第１枠内に表示させ、
前記第２編集指示受付部は、前記第２画像の拡大、縮小、移動、回転及び画像処理内容のうちの少なくとも１つの編集指示を受け付け、
前記第２表示制御部は、前記第２編集指示受付部が受け付けた前記編集指示に基づいて処理された前記第２画像を、前記第２表示部に表示された前記レイアウトの前記第２枠内に表示させる請求項１に記載のコラージュ画像作成システム。
【請求項３】
１つのホストとして機能する第１カメラ部を有する第１携帯端末と、１以上のクライアントとして機能し、前記第１携帯端末と通信可能な第２カメラ部を有する第２携帯端末とから構成され、前記第１携帯端末の前記第１カメラ部により撮影された第１画像及び前記第２携帯端末の前記第２カメラ部により撮影された第２画像に基づいてコラージュ画像を作成するコラージュ画像作成システムであって、
前記第１携帯端末は、
第１表示部と、
コラージュ画像作成用の複数のレイアウトから１つのレイアウトを選択するレイアウト選択部と、
前記選択されたレイアウトを前記第１表示部に表示させる第１レイアウト表示制御部と、
前記第１カメラ部により撮影された第１画像を前記第１表示部に表示された前記レイアウトの複数の枠のうち前記第１携帯端末に割り当てられた第１枠内に表示させる第１表示制御部と、
前記選択されたレイアウトの情報を前記第２携帯端末に送信し、かつ前記第２携帯端末から前記第２カメラ部で撮影された第２画像を受信する第１通信部と、を備え、
前記第２携帯端末は、
第２表示部と、
前記第１携帯端末から送信された前記レイアウトの情報に基づいて前記レイアウトを前記第２表示部に表示させる第２レイアウト表示制御部と、
前記第２カメラ部により撮影された前記第２画像を、前記第２表示部に表示された前記レイアウトの前記複数の枠のうち前記第２携帯端末に割り当てられた第２枠内に表示させる第２表示制御部と、
前記第１携帯端末から送信された前記レイアウトの情報を受信し、かつ前記第２カメラ部により撮影された前記第２画像を前記第１携帯端末に送信する第２通信部と、を備え、
前記第１表示制御部は、前記第１カメラ部が撮影した最新の第１画像により前記第１表示部に表示された前記レイアウトの前記第１枠内に表示された前記第１画像を更新し、
前記第２表示制御部は、前記第２カメラ部が撮影した最新の第２画像により前記第２表示部に表示された前記レイアウトの前記第２枠内に表示された前記第２画像を更新し、
前記第１携帯端末は、前記レイアウトの前記第１枠内に前記第１カメラ部により撮影された前記最新の第１画像を合成し、前記第２枠内に前記第２カメラ部により撮影された前記最新の第２画像を合成する画像合成部を備えるコラージュ画像作成システム。
【請求項４】
前記第１携帯端末は、前記第１カメラ部により撮影されたライブビュー画像を、前記第１表示部に表示された前記レイアウトのうちの前記第１携帯端末に割り当てられた前記第１枠内に表示し、
前記第２携帯端末は、前記第２カメラ部により撮影されたライブビュー画像を、前記第２表示部に表示された前記レイアウトのうちの前記第２携帯端末に割り当てられた前記第２枠内に表示する請求項３に記載のコラージュ画像作成システム。
【請求項５】
前記第１レイアウト表示制御部は、前記割り当てられた前記第１枠を他の枠と識別可能に前記第１表示部に表示させ、
前記第２レイアウト表示制御部は、前記割り当てられた前記第２枠を他の枠と識別可能に前記第２表示部に表示させる請求項１から４のいずれか１項に記載のコラージュ画像作成システム。
【請求項６】
前記第１携帯端末の前記第１通信部及び前記第２携帯端末の第２通信部とは、相互に直接無線通信し、又はアクセスポイント及びネットワークを介して相互に通信する請求項１から５のいずれか１項に記載のコラージュ画像作成システム。
【請求項７】
前記第１携帯端末のみが前記コラージュ画像をプリンタに送信する送信部を備える請求項１から６のいずれか１項に記載のコラージュ画像作成システム。
【請求項８】
前記第１携帯端末は、プリント指示を受け付けるプリント指示受付部を備え、
前記プリント指示受付部は、前記レイアウトの全ての枠内に前記第１画像及び前記第２画像が合成された前記コラージュ画像が作成された場合のみ、前記コラージュ画像のプリント指示を受け付け、
前記送信部は、前記プリント指示受付部が前記プリント指示を受け付けると、前記コラージュ画像をプリンタに送信する請求項７に記載のコラージュ画像作成システム。
【請求項９】
前記第１携帯端末の前記第１通信部は、前記送信部として機能する請求項７又は８に記載のコラージュ画像作成システム。
【請求項１０】
前記第１携帯端末は、前記第１表示部に前記第１画像及び前記第２画像を表示させる第１モードと、前記第１画像のみを表示させる第２モードとを選択するモード選択部を備え、
前記第１携帯端末の前記第１表示制御部は、前記第１モードが選択されている場合には前記第１表示部に表示された前記レイアウトの前記第１枠内に前記第１画像を合成し、前記第２枠内に前記第２画像を合成し、前記第２モードが選択されている場合には前記第１表示部に表示された前記レイアウトの前記第１枠内に前記第１画像のみを合成し、
前記第２携帯端末の前記第２表示制御部は、前記第１モードが選択されている場合には前記第２表示部に表示された前記レイアウトの前記第１枠内に前記第１画像を合成し、前記第２枠内に前記第２画像を合成し、前記第２モードが選択されている場合には前記第１表示部に表示された前記レイアウトの前記第２枠内に前記第２画像のみを合成する請求項１から９のいずれか１項に記載のコラージュ画像作成システム。
【請求項１１】
前記第１携帯端末及び前記第２携帯端末は、それぞれ前記ホスト又は前記クライアントとして機能させる機能選択部を備え、
前記第１携帯端末は、前記機能選択部により前記クライアントの機能が選択されると、前記第２携帯端末になり、
前記第２携帯端末は、前記機能選択部により前記ホストの機能が選択されると、前記第１携帯端末になる請求項１から９のいずれか１項に記載のコラージュ画像作成システム。
【請求項１２】
ホストとして機能する１つの第１携帯端末と、クライアントとして機能し、前記第１携帯端末と通信可能な１以上の第２携帯端末とから構成され、前記第１携帯端末に保存された第１画像及び前記第２携帯端末に保存された第２画像に基づいてコラージュ画像を作成するコラージュ画像作成方法であって、
前記第１携帯端末のレイアウト選択部によりコラージュ画像作成用の複数のレイアウトから１つのレイアウトを選択するステップと、
前記第１携帯端末の第１レイアウト表示制御部が、前記選択されたレイアウトを前記第１携帯端末の第１表示部に表示させるステップと、
前記第１携帯端末の第１画像選択部での画像選択操作により前記第１携帯端末に保存された複数の画像からコラージュ画像の作成に使用する前記第１画像を選択するステップと、
前記第１携帯端末の第１表示制御部が、前記選択された前記第１画像を、前記第１表示部に表示された前記レイアウトの複数の枠のうち前記第１携帯端末に割り当てられた第１枠内に表示させるステップと、
前記第１携帯端末の第１編集指示受付部が編集指示を受け付けると、前記受け付けた編集指示に応じて第１編集部が前記第１枠内に表示された前記第１画像を編集するステップと、
前記第１携帯端末の第１通信部が、前記選択されたレイアウトの情報を前記第２携帯端末に送信し、かつ前記第２携帯端末から前記第２携帯端末で選択された第２画像を受信するステップと、
前記第２携帯端末の第２レイアウト表示制御部が、前記第１携帯端末から送信された前記レイアウトの情報に基づいて前記レイアウトを前記第２携帯端末の第２表示部に表示させるステップと、
前記第２携帯端末の第２画像選択部での画像選択操作により前記第２携帯端末に保存された複数の画像からコラージュ画像の作成に使用する前記第２画像を選択するステップと、
前記第２携帯端末の第２表示制御部が、前記選択された前記第２画像を、前記第２表示部に表示された前記レイアウトの前記複数の枠のうち前記第２携帯端末に割り当てられた第２枠内に表示させるステップと、
前記第２携帯端末の第２編集指示受付部が編集指示を受け付けると、前記受け付けた編集指示に応じて第２編集部が前記第２枠内に表示された前記第２画像を編集するステップと、
前記第２携帯端末の第２通信部が、前記第１携帯端末から送信された前記レイアウトの情報を受信し、かつ前記編集された前記第２画像を前記第１携帯端末に送信するステップと、
前記第１携帯端末の画像合成部が、前記レイアウトの前記第１枠内に前記編集された前記第１画像を合成し、前記第２枠内に前記編集された前記第２画像を合成し、前記コラージュ画像を作成するステップと、
を含むコラージュ画像作成方法。
【請求項１３】
１つのホストとして機能する第１カメラ部を有する第１携帯端末と、１以上のクライアントとして機能し、前記第１携帯端末と通信可能な第２カメラ部を有する第２携帯端末とから構成され、前記第１携帯端末の前記第１カメラ部により撮影された第１画像及び前記第２携帯端末の前記第２カメラ部により撮影された第２画像に基づいてコラージュ画像を作成するコラージュ画像作成方法であって、
前記第１携帯端末のレイアウト選択部によりコラージュ画像作成用の複数のレイアウトから１つのレイアウトを選択するステップと、
前記第１携帯端末の第１レイアウト表示制御部が、前記選択されたレイアウトを前記第１携帯端末の第１表示部に表示させるステップと、
前記第１カメラ部により前記第１画像を撮影するステップと、
前記第１携帯端末の第１表示制御部が、前記第１カメラ部により撮影された第１画像を、前記第１表示部に表示された前記レイアウトの複数の枠のうち前記第１携帯端末に割り当てられた第１枠内に表示させるステップと、
前記第１携帯端末の第１通信部が、前記選択されたレイアウトの情報を前記第２携帯端末に送信し、かつ前記第２携帯端末から前記第２カメラ部により撮影された第２画像を受信するステップと、
前記第２携帯端末の第２レイアウト表示制御部が、前記第１携帯端末から送信された前記レイアウトの情報に基づいて前記レイアウトを前記第２携帯端末の第２表示部に表示させるステップと、
前記第２カメラ部により前記第２画像を撮影するステップと、
前記第２携帯端末の第２表示制御部が、前記第２カメラ部により撮影された第２画像を、前記第２表示部に表示された前記レイアウトの複数の枠のうち前記第２携帯端末に割り当てられた第２枠内に表示させるステップと、
前記第２携帯端末の第２通信部が、前記第１携帯端末から送信された前記レイアウトの情報を受信し、かつ前記第２カメラ部により撮影された前記第２画像を前記第１携帯端末に送信するステップと、
前記第１携帯端末の画像合成部が、前記レイアウトの前記第１枠内に前記第１カメラ部により撮影された最新の第１画像を合成し、前記第２枠内に前記第２カメラ部により撮影された最新の第２画像を合成し、前記コラージュ画像を作成するステップと、を含み、
前記第１枠内に前記第１画像を表示させるステップは、前記第１カメラ部が撮影した最新の第１画像により前記第１枠内に表示された前記第１画像を更新し、
前記第２枠内に前記第２画像を表示させるステップは、前記第２カメラ部が撮影した最新の第２画像により前記第２枠内に表示された前記第２画像を更新するコラージュ画像作成方法。
【請求項１４】
携帯端末にインストールされるコラージュ画像作成プログラムであって、
前記携帯端末にインストールされることにより、前記携帯端末を、請求項１から１１のいずれか１項に記載のコラージュ画像作成システムを構成する前記第１携帯端末又は前記第２携帯端末として機能させるコラージュ画像作成プログラム。
【発明の詳細な説明】
【技術分野】
【０００１】
本発明はコラージュ画像作成システム、方法及びプログラムに係り、特に複数のユーザによりコラージュ画像を作成する技術に関する。
【背景技術】
【０００２】
従来、複数のユーザが協働して１つのコラージュ画像を作成する技術が知られている（特許文献１）。
【０００３】
特許文献１に記載のピクチャ結合方法は、送信側クライアント（第１端末）において、目標コラージュテンプレートを選択し、選択した目標コラージュテンプレートに少なくとも１つのピクチャを追加することで第１コラージュを作成し、作成した第１コラージュを受信側クライアント（第２端末）に送信する。
【０００４】
受信側クライアントは、第１コラージュを受信すると、第１コラージュ（目標コラージュテンプレート）内に空白部分が存在するか否かを検出し、空白部分が存在するとき、その空白部分に少なくとも１つのピクチャを追加して第２コラージュを作成する。
【０００５】
このようにして、各クライアントで目標コラージュテンプレートにピクチャを順次追加し、コラージュ画像を作成する。
【先行技術文献】
【特許文献】
【０００６】
【特許文献１】特表２０１８−５２９１３８号公報
【発明の概要】
【発明が解決しようとする課題】
【０００７】
特許文献１に記載のピクチャ結合方法は、第１端末が目標コラージュテンプレートにピクチャを追加して第１コラージュを作成し、これを第１端末に転送し、第２端末が第１コラージュに対して更にピクチャを追加して第２コラージュを作成し、これを複数のユーザの端末間で、目標コラージュテンプレートから空白部分がなくなるまで順次行うことで、コラージュ画像を完成させるため、各端末は、目標コラージュテンプレートにピクチャを追加（結合）する処理を個別に行う必要がある。
【０００８】
また、各端末で作成した第１コラージュ、第２コラージュ、…、を順次、後段の端末に送信する必要があるため、第１コラージュ、第２コラージュ、…、を同時に作成することができない。例えば、第２端末のユーザは、第１端末から第１コラージュを受け取るまでの間、コラージュ画像の作成に関わることができず、目標コラージュテンプレートの空白部分に追加するピクチャの選択もできない。
【０００９】
このため、第１コラージュ、第２コラージュ、…、の作成に要する時間（ユーザによるピクチャの選択又は撮影、画像処理、及び第１コラージュ等の送受信に要する時間）がユーザ毎に累積され、最終的なコラージュ画像の作成までに多くの時間を要するという問題がある。特に、コラージュ画像の作成に関わるユーザ（端末）が多くなるにしたがって、最終的なコラージュ画像の作成までに多くの時間を要する。
【００１０】
本発明はこのような事情に照らし合わせてなされたもので、コラージュ画像の作成に参加するユーザ数に関わらず、比較的短時間でコラージュ画像を作成することができるコラージュ画像作成システム、方法及びプログラムを提供することを目的とする。
【課題を解決するための手段】
【００１１】
上記目的を達成するために、一の態様に係る発明は、ホストとして機能する１つの第１携帯端末と、クライアントとして機能し、第１携帯端末と通信可能な１以上の第２携帯端末とから構成され、第１携帯端末に保存された第１画像及び第２携帯端末に保存された第２画像に基づいてコラージュ画像を作成するコラージュ画像作成システムであって、第１携帯端末は、第１表示部と、コラージュ画像作成用の複数のレイアウトから１つのレイアウトを選択するレイアウト選択部と、選択されたレイアウトを第１表示部に表示させる第１レイアウト表示制御部と、第１携帯端末に保存された複数の画像からコラージュ画像の作成に使用する第１画像を選択する第１画像選択部と、選択された第１画像を、第１表示部に表示されたレイアウトの複数の枠のうち第１携帯端末に割り当てられた第１枠内に表示させる第１表示制御部と、第１画像に対する編集指示を受け付ける第１編集指示受付部と、第１編集指示受付部が受け付けた編集指示に応じて第１枠内に表示された第１画像を編集する第１編集部と、選択されたレイアウトの情報を第２携帯端末に送信し、かつ第２携帯端末から第２携帯端末で選択された第２画像を受信する第１通信部と、を備え、第２携帯端末は、第２表示部と、第１携帯端末から送信されたレイアウトの情報に基づいてレイアウトを第２表示部に表示させる第２レイアウト表示制御部と、第２携帯端末に保存された複数の画像からコラージュ画像の作成に使用する第２画像を選択する第２画像選択部と、選択された第２画像を、第２表示部に表示されたレイアウトの複数の枠のうち第２携帯端末に割り当てられた第２枠内に表示させる第２表示制御部と、第２画像に対する編集指示を受け付ける第２編集指示受付部と、第２編集指示受付部が受け付けた編集指示に応じて第２枠内に表示された第２画像を編集する第２編集部と、第１携帯端末から送信されたレイアウトの情報を受信し、かつ編集された第２画像を第１携帯端末に送信する第２通信部と、を備え、第１携帯端末は、レイアウトの第１枠内に第１編集部により編集された第１画像を合成し、第２枠内に第２編集部により編集された第２画像を合成し、コラージュ画像を作成する画像合成部を備える。
【００１２】
本発明の一の態様によれば、複数のユーザの携帯端末は、ホストとして機能する１つの携帯端末（第１携帯端末）と、クライアントとして機能するその他の携帯端末（１以上の第２携帯端末）とに役割分担が決められ、第１携帯端末と第２携帯端末との間で必要な通信を行うことができる。したがって、複数のユーザがコラージュ画像の作成に参加する場合でも、各携帯端末のユーザは、他のユーザによる画像の選択、編集等の操作を待たずに、コラージュ画像の作成に使用する画像の選択、選択した画像の編集等の操作を並行して行うことができ、比較的短時間でコラージュ画像を作成することが可能である。
【００１３】
本発明の他の態様に係るコラージュ画像作成システムにおいて、第１編集指示受付部は、第１画像の拡大、縮小、移動、回転及び画像処理内容のうちの少なくとも１つの編集指示を受け付け、第１表示制御部は、第１編集指示受付部が受け付けた編集指示に基づいて処理された第１画像を、第１表示部に表示されたレイアウトの第１枠内に表示させ、第２編集指示受付部は、第２画像の拡大、縮小、移動、回転及び画像処理内容のうちの少なくとも１つの編集指示を受け付け、第２表示制御部は、第２編集指示受付部が受け付けた編集指示に基づいて処理された第２画像を、第２表示部に表示されたレイアウトの第２枠内に表示させることが好ましい。
【００１４】
即ち、第１携帯端末、第２携帯端末の各ユーザは、それぞれ自分の携帯端末の画面に表示されたレイアウトの第１枠内の第１画像、又は第２枠内の第２画像を見ながら、第１画像、第２画像を編集することができる。
【００１５】
更に他の態様に係る発明は、１つのホストとして機能する第１カメラ部を有する第１携帯端末と、１以上のクライアントとして機能し、第１携帯端末と通信可能な第２カメラ部を有する第２携帯端末とから構成され、第１携帯端末の第１カメラ部により撮影された第１画像及び第２携帯端末の第２カメラ部により撮影された第２画像に基づいてコラージュ画像を作成するコラージュ画像作成システムであって、第１携帯端末は、第１表示部と、コラージュ画像作成用の複数のレイアウトから１つのレイアウトを選択するレイアウト選択部と、選択されたレイアウトを第１表示部に表示させる第１レイアウト表示制御部と、第１カメラ部により撮影された第１画像を第１表示部に表示されたレイアウトの複数の枠のうち第１携帯端末に割り当てられた第１枠内に表示させる第１表示制御部と、選択されたレイアウトの情報を第２携帯端末に送信し、かつ第２携帯端末から第２カメラ部で撮影された第２画像を受信する第１通信部と、を備え、第２携帯端末は、第２表示部と、第１携帯端末から送信されたレイアウトの情報に基づいてレイアウトを第２表示部に表示させる第２レイアウト表示制御部と、第２カメラ部により撮影された第２画像を、第２表示部に表示されたレイアウトの複数の枠のうち第２携帯端末に割り当てられた第２枠内に表示させる第２表示制御部と、第１携帯端末から送信されたレイアウトの情報を受信し、かつ第２カメラ部により撮影された第２画像を第１携帯端末に送信する第２通信部と、を備え、第１表示制御部は、第１カメラ部が撮影した最新の第１画像により第１表示部に表示されたレイアウトの第１枠内に表示された第１画像を更新し、第２表示制御部は、第２カメラ部が撮影した最新の第２画像により第２表示部に表示されたレイアウトの第２枠内に表示された第２画像を更新し、第１携帯端末は、レイアウトの第１枠内に第１カメラ部により撮影された最新の第１画像を合成し、第２枠内に第２カメラ部により撮影された最新の第２画像を合成する画像合成部を備える。
【００１６】
本発明の更に他の態様によれば、一の態様に係る発明が、携帯端末に保存された複数の画像からコラージュ画像の作成に使用する画像を選択し、選択した画像の編集が可能であるのに対し、コラージュ画像の作成に使用する画像を撮影により取得する点で相違する。尚、撮影された画像が、コラージュ画像の作成に使用されるため、コラージュ画像の作成に当たって、撮影された画像の拡大、移動等の編集は不要である。
【００１７】
本発明の更に他の態様に係るコラージュ画像作成システムにおいて、第１携帯端末は、第１カメラ部により撮影されたライブビュー画像を、第１表示部に表示されたレイアウトのうちの第１携帯端末に割り当てられた第１枠内に表示し、第２携帯端末は、第２カメラ部により撮影されたライブビュー画像を、第２表示部に表示されたレイアウトのうちの第２携帯端末に割り当てられた第２枠内に表示することができる。これにより、ユーザは、レイアウトの第１枠又は第２枠に表示されるライブビュー画像を見ながら、コラージュ画像に使用する画像を撮影することができる。
【００１８】
本発明の更に他の態様に係るコラージュ画像作成システムにおいて、第１レイアウト表示制御部は、割り当てられた第１枠を他の枠と識別可能に第１表示部に表示させ、第２レイアウト表示制御部は、割り当てられた第２枠を他の枠と識別可能に第２表示部に表示させることが好ましい。
【００１９】
本発明の更に他の態様に係るコラージュ画像作成システムにおいて、第１携帯端末の第１通信部及び第２携帯端末の第２通信部とは、相互に直接無線通信し、又はアクセスポイント及びネットワークを介して相互に通信することが好ましい。
【００２０】
本発明の更に他の態様に係るコラージュ画像作成システムにおいて、第１携帯端末のみがコラージュ画像をプリンタに送信する送信部を備えることが好ましい。
【００２１】
本発明の更に他の態様に係るコラージュ画像作成システムにおいて、第１携帯端末は、プリント指示を受け付けるプリント指示受付部を備え、プリント指示受付部は、レイアウトの全ての枠内に第１画像及び第２画像が合成されたコラージュ画像が作成された場合のみ、コラージュ画像のプリント指示を受け付け、送信部は、プリント指示受付部がプリント指示を受け付けると、コラージュ画像をプリンタに送信することが好ましい。これにより、未完成のコラージュ画像がプリンタに送信され、プリント出力されることを防止することができる。
【００２２】
本発明の更に他の態様に係るコラージュ画像作成システムにおいて、第１携帯端末は、第１表示部に第１画像及び第２画像を表示させる第１モードと、第１画像のみを表示させる第２モードとを選択するモード選択部を備え、第１携帯端末の第１表示制御部は、第１モードが選択されている場合には第１表示部に表示されたレイアウトの第１枠内に第１画像を合成し、第２枠内に第２画像を合成し、第２モードが選択されている場合には第１表示部に表示されたレイアウトの第１枠内に第１画像のみを合成し、第２携帯端末の第２表示制御部は、第１モードが選択されている場合には第２表示部に表示されたレイアウトの第１枠内に第１画像を合成し、第２枠内に第２画像を合成し、第２モードが選択されている場合には第１表示部に表示されたレイアウトの第２枠内に第２画像のみを合成することが好ましい。
【００２３】
本発明の更に他の態様に係るコラージュ画像作成システムにおいて、第１携帯端末及び第２携帯端末は、それぞれホスト又はクライアントとして機能させる機能選択部を備え、第１携帯端末は、機能選択部によりクライアントの機能が選択されると、第２携帯端末になり、第２携帯端末は、機能選択部によりホストの機能が選択されると、第１携帯端末になることが好ましい。
【００２４】
更に他の態様に係る発明は、ホストとして機能する１つの第１携帯端末と、クライアントとして機能し、第１携帯端末と通信可能な１以上の第２携帯端末とから構成され、第１携帯端末に保存された第１画像及び第２携帯端末に保存された第２画像に基づいてコラージュ画像を作成するコラージュ画像作成方法であって、第１携帯端末のレイアウト選択部によりコラージュ画像作成用の複数のレイアウトから１つのレイアウトを選択するステップと、第１携帯端末の第１レイアウト表示制御部が、選択されたレイアウトを第１携帯端末の第１表示部に表示させるステップと、第１携帯端末の第１画像選択部での画像選択操作により第１携帯端末に保存された複数の画像からコラージュ画像の作成に使用する第１画像を選択するステップと、第１携帯端末の第１表示制御部が、選択された第１画像を、第１表示部に表示されたレイアウトの複数の枠のうち第１携帯端末に割り当てられた第１枠内に表示させるステップと、第１携帯端末の第１編集指示受付部が編集指示を受け付けると、受け付けた編集指示に応じて第１編集部が第１枠内に表示された第１画像を編集するステップと、第１携帯端末の第１通信部が、選択されたレイアウトの情報を第２携帯端末に送信し、かつ第２携帯端末から第２携帯端末で選択された第２画像を受信するステップと、第２携帯端末の第２レイアウト表示制御部が、第１携帯端末から送信されたレイアウトの情報に基づいてレイアウトを第２携帯端末の第２表示部に表示させるステップと、第２携帯端末の第２画像選択部での画像選択操作により第２携帯端末に保存された複数の画像からコラージュ画像の作成に使用する第２画像を選択するステップと、第２携帯端末の第２表示制御部が、選択された第２画像を、第２表示部に表示されたレイアウトの複数の枠のうち第２携帯端末に割り当てられた第２枠内に表示させるステップと、第２携帯端末の第２編集指示受付部が編集指示を受け付けると、受け付けた編集指示に応じて第２編集部が第２枠内に表示された第２画像を編集するステップと、第２携帯端末の第２通信部が、第１携帯端末から送信されたレイアウトの情報を受信し、かつ編集された第２画像を第１携帯端末に送信するステップと、第１携帯端末の画像合成部が、レイアウトの第１枠内に編集された第１画像を合成し、第２枠内に編集された第２画像を合成し、コラージュ画像を作成するステップと、を含む。
【００２５】
更に他の態様に係る発明は、１つのホストとして機能する第１カメラ部を有する第１携帯端末と、１以上のクライアントとして機能し、第１携帯端末と通信可能な第２カメラ部を有する第２携帯端末とから構成され、第１携帯端末の第１カメラ部により撮影された第１画像及び第２携帯端末の第２カメラ部により撮影された第２画像に基づいてコラージュ画像を作成するコラージュ画像作成方法であって、第１携帯端末のレイアウト選択部によりコラージュ画像作成用の複数のレイアウトから１つのレイアウトを選択するステップと、第１携帯端末の第１レイアウト表示制御部が、選択されたレイアウトを第１携帯端末の第１表示部に表示させるステップと、第１カメラ部により第１画像を撮影するステップと、第１携帯端末の第１表示制御部が、第１カメラ部により撮影された第１画像を、第１表示部に表示されたレイアウトの複数の枠のうち第１携帯端末に割り当てられた第１枠内に表示させるステップと、第１携帯端末の第１通信部が、選択されたレイアウトの情報を第２携帯端末に送信し、かつ第２携帯端末から第２カメラ部により撮影された第２画像を受信するステップと、第２携帯端末の第２レイアウト表示制御部が、第１携帯端末から送信されたレイアウトの情報に基づいてレイアウトを第２携帯端末の第２表示部に表示させるステップと、第２カメラ部により第２画像を撮影するステップと、第２携帯端末の第２表示制御部が、第２カメラ部により撮影された第２画像を、第２表示部に表示されたレイアウトの複数の枠のうち第２携帯端末に割り当てられた第２枠内に表示させるステップと、第２携帯端末の第２通信部が、第１携帯端末から送信されたレイアウトの情報を受信し、かつ第２カメラ部により撮影された第２画像を第１携帯端末に送信するステップと、第１携帯端末の画像合成部が、レイアウトの第１枠内に第１カメラ部により撮影された最新の第１画像を合成し、第２枠内に第２カメラ部により撮影された最新の第２画像を合成し、コラージュ画像を作成するステップと、を含み、第１枠内に第１画像を表示させるステップは、第１カメラ部が撮影した最新の第１画像により第１枠内に表示された第１画像を更新し、第２枠内に第２画像を表示させるステップは、第２カメラ部が撮影した最新の第２画像により第２枠内に表示された第２画像を更新する。
【００２６】
更に他の態様に係る発明は、携帯端末にインストールされるコラージュ画像作成プログラムであって、携帯端末にインストールされることにより、携帯端末を、前述したコラージュ画像作成システムを構成する第１携帯端末又は第２携帯端末として機能させる。
【発明の効果】
【００２７】
本発明によれば、複数のユーザが協働して１つのコラージュ画像を作成する際に、コラージュ画像の作成に参加するユーザの人数に関わらず、比較的短時間でコラージュ画像を作成することができる。
【図面の簡単な説明】
【００２８】
【図１】図１は、本発明に係るコラージュ画像作成システムの第１実施形態を示すシステム構成図である。
【図２】図２は、図１に示したコラージュ画像作成システムに適用される携帯端末のハードウェア構成の一例を示すブロック図である。
【図３】図３は、コラージュ画像作成プログラムを含むアプリケーションソフトを実行することで、携帯端末のディスプレイに表示されるトップ画面の一例を示す図である。
【図４】図４は、ホストとして機能する携帯端末１００−１の第１実施形態の主な機能を示すブロック図である。
【図５】図５は、クライアントとして機能する携帯端末１００−２の第１実施形態の主な機能を示すブロック図である。
【図６】図６は、携帯端末１００−１からプリンタ１０に画像（コラージュ画像）を送信してプリント出力する様子を示す図である。
【図７Ａ】図７Ａは、本発明に係るコラージュ画像作成方法の第１実施形態を示すフローチャートの一部である。
【図７Ｂ】図７Ｂは、図７Ａに示したフローチャートに続くフローチャートである。
【図７Ｃ】図７Ｃは、図７Ｃに示したフローチャートに続くフローチャートである。
【図８】図８は、お楽しみモードがＯＮにされている場合のフローチャートであり、図７Ｂに示したフローチャートに代るフローチャートである。
【図９】図９は、他のユーザを招待する場合の携帯端末１００−１の画面の一例を示す図である。
【図１０】携帯端末１００−１側でコラージュ画像の作成に参加するユーザを決定するまでの間に表示される、携帯端末１００−２、１００−３に表示される画面の一例を示す図である。
【図１１】図１１は、レイアウトを選択する場合に携帯端末１００−１に表示される画面の一例を示す図である。
【図１２】図１２は、携帯端末１００−１に表示されるコラージュ画像の作成に使用する画面の一例を示す図である。
【図１３】図１３は、図１２に対応する画面を示す図であり、第１画像の選択による第１画像の読み出し中を示す図である。
【図１４】図１４は、図１２に対応する画面を示す図であり、選択された第１画像がレイアウトの第１枠に合成された状態を示す図である。
【図１５】図１５は、図１２に対応する画面を示す図であり、レイアウトの全ての枠内に第１画像及び２つの第２画像が合成された状態を示す図である。
【図１６】図１６は、図１２に対応する画面を示す図であり、お楽しみモードがＯＮされた状態を示す図である。
【図１７】図１７は、携帯端末１００−１に表示されるコラージュ画像の作成に使用する画面の一例を示す図であり、お楽しみモードがＯＮされ、かつ携帯端末１００−１により第１画像が選択された状態を示す図である。
【図１８】図１８は、携帯端末１００−２に表示されるコラージュ画像の作成に使用する画面の一例を示す図であり、お楽しみモードがＯＮされ、かつ携帯端末１００−１により第１画像が選択された状態を示す図である。
【図１９】図１９は、携帯端末１００−３に表示されるコラージュ画像の作成に使用する画面の一例を示す図であり、お楽しみモードがＯＮされ、かつ携帯端末１００−１により第１画像が選択され、携帯端末１００−２により第２画像が選択された状態を示す図である。
【図２０】図２０は、ホストとして機能する携帯端末１００−１の第２実施形態の主な機能を示すブロック図である。
【図２１】図２１は、クライアントとして機能する携帯端末１００−２の第２実施形態の主な機能を示すブロック図である。
【図２２Ａ】図２２Ａは、本発明に係るコラージュ画像作成方法の第２実施形態の要部を示すフローチャートの一部である。
【図２２Ｂ】図２２Ｂは、図２２Ａに示したフローチャートに続くフローチャートである。
【図２３】図２３は、お楽しみモードがＯＮにされている場合のフローチャートであり、図２２Ｂに示したフローチャートに代るフローチャートである。
【図２４】図２４は、本発明に係るコラージュ画像作成システムの第２実施形態を示すシステム構成図である。
【発明を実施するための形態】
【００２９】
以下、添付図面に従って本発明に係るコラージュ画像作成システム、方法及びプログラムの好ましい実施形態について説明する。
【００３０】
［コラージュ画像作成システムの第１実施形態］
図１は、本発明に係るコラージュ画像作成システムの第１実施形態を示すシステム構成図である。
【００３１】
図１に示す第１実施形態のコラージュ画像作成システム１は、複数のユーザが所有する複数の携帯端末１００−１〜１００−Ｎから構成されている。
【００３２】
複数の携帯端末１００−１〜１００−Ｎとしては、スマートフォン、タブレット端末、ＰＤＡ（Personal Digital Assistant）、ノートパソコン等が適用可能である。
【００３３】
本例の複数の携帯端末１００−１〜１００−Ｎは、プリンタに付属するアプリケーションソフト（本発明に係るコラージュ画像作成プログラム）がインストールされ、コラージュ画像作成プログラムを実行することで、後述する各種の機能を備える。
【００３４】
尚、複数の携帯端末１００−１〜１００−Ｎは、それぞれ同一種類、同一機能を有する携帯端末に限らず、少なくともコラージュ画像作成プログラムがインストールされ、そのコラージュ画像作成プログラムを実行することができ、かつ複数の携帯端末１００−１〜１００−Ｎの間で直接無線通信し、又はネットワークを介して無線通信できるものであればよい。
【００３５】
［携帯端末］
図２は、図１に示したコラージュ画像作成システムに適用される携帯端末のハードウェア構成の一例を示すブロック図である。
【００３６】
尚、図１に示した複数（Ｎ個）の携帯端末１００−１〜１００−Ｎは、それぞれコラージュ画像作成プログラムがインストールされることにより、コラージュ画像の作成に関しては同じ機能を有するため、図２では、複数の携帯端末１００−１〜１００−Ｎを代表する１つの携帯端末１００のみを示す。また、本例では、携帯端末１００としてスマートフォンを使用している。
【００３７】
図２に示すように、携帯端末（スマートフォン）１００は、全体の動作を制御するＣＰＵ（Central Processing Unit）１０１、基本入出力プログラム等を記憶したＲＯＭ（Read-only Memory）１０２、ＣＰＵ１０１のワークエリアとして使用されるＲＡＭ（Random Access Memory）１０３、内蔵メモリ１０４、ディスプレイ１０５、ディスプレイ画面へのタッチ操作（位置入力）を検出するタッチパッド１０６、ＧＰＳ（Global Positioning Systems）衛星又は屋内ＧＰＳとしてのＩＭＥＳ（Indoor MEssaging System）によって携帯端末１００の位置情報（緯度、経度及び高度）を含んだＧＰＳ信号を受信するＧＰＳ受信部１０７、撮影レンズ及びイメージセンサを含み、画像を電子的に撮影するカメラ部１０８、マイクロフォンを含み、音声を入力するマイク部１０９、スピーカを含み、音声を出力するスピーカ部１１０、アンテナ１１１Ａを利用して最寄りの基地局、ルータ等のアクセスポイント、及びネットワークを介して無線で通信する通信部１１１、アンテナ１１２Ａを利用して他の機器（例えば、他の携帯端末、プリンタ等）と近距離無線で通信する近距離無線通信部１１２、地磁気センサ、ジャイロコンパス、加速度センサ等の各種センサを含むセンサ部１１３、メモリカード１１５へのデータの読み書きを行うメディアドライブ１１４等を備える。
【００３８】
内蔵メモリ１０４は、ＥＥＰＲＯＭ（Electrically Erasable Programmable Read-only Memory）等の不揮発性メモリで構成される。内蔵メモリ１０４には、オペレーティングシステムの他、本発明に係るコラージュ画像作成プログラムを含む各種のアプリケーションソフト、カメラ部１０８で撮影した画像の画像データ及び他の機器から取得した画像データ等の各種データが記憶される。
【００３９】
尚、コラージュ画像作成プログラムは、後述するプリンタに付属するアプリケーションソフトであり、例えば、ネットワーク上のプリンタのサービスサイトから通信部１１１を介してダウンロードされたものである。尚、図１に示した携帯端末１００−１〜１００−Ｎは、それぞれコラージュ画像作成プログラムを含むアプリケーションソフトがダウンロードされており、図１に示したコラージュ画像作成システム１を構成する。
【００４０】
［トップ画面］
図３は、コラージュ画像作成プログラムを含むアプリケーションソフトを実行することで、携帯端末１００のディスプレイ１０５に最初に表示されるトップ画面２００の一例を示す図である。
【００４１】
トップ画面２００には、使用可能な機能のボタンがアイコンで表示される。即ち、図、記号又は絵柄を組み合わせて表示される。具体的には、図３に示すように、シンプルプリントの機能のボタンである「シンプルプリント」ボタンＭＢ１、ムービープリントの機能のボタンである「ムービープリント」ボタンＭＢ２、インスタントカメラの機能のボタンである「インスタントカメラ」ボタンＭＢ３、テンプレートプリントの機能のボタンである「テンプレートプリント」ボタンＭＢ４、コラージュプリントの機能のボタンである「コラージュプリント」ボタンＭＢ５、相性診断の機能のボタンである「相性診断」ボタンＭＢ６、及びみんなでコラージュの機能のボタンである「みんなでコラージュ」ボタンＭＢ７が表示される。各ボタンには、その下部にメニュータイトルが表示される。
【００４２】
「シンプルプリント」の機能とは、携帯端末１００に保存されている画像（静止画）をプリントする機能である。画面上で「シンプルプリント」ボタンＭＢ１をタッチ（タップ）すると、当該機能が起動する。
【００４３】
「ムービープリント」の機能とは、動画から１シーンを抽出してプリントする機能である。画面上で「ムービープリント」ボタンＭＢ２をタッチすると、当該機能が起動する。
【００４４】
「インスタントカメラ」の機能とは、携帯端末１００のカメラ機能を使用して撮影し、撮影した画像をプリンタでプリントする機能である。画面上で「インスタントカメラ」ボタンＭＢ３をタッチすると、当該機能が起動する。
【００４５】
「テンプレートプリント」の機能とは、画像にテンプレート画像を合成し、プリントする機能である。画面上で「テンプレートプリント」ボタンＭＢ４をタッチすると、当該機能が起動する。
【００４６】
「コラージュプリント」の機能とは、コラージュ画像を生成してプリントする機能である。上記のようにコラージュ画像は、内部が複数の領域に分割されたレイアウト（分割フレーム）の各領域に画像を当てはめて生成される。レイアウトの態様が、規則的なもの（例えば、上下二等分割、左右二等分割、上下三等分割、左右三等分割、四等分割、九等分割等）と、不規則なものとがある。分割が規則的なものは、特に分割プリントとも称される。画面上で「コラージュプリント」ボタンＭＢ５をタッチすると、当該機能が起動する。
【００４７】
「相性診断」の機能とは、画像から相性診断を行う機能である。たとえば、学習済みモデルを利用して画像を解析し、画像に写されている人物（二人）の相性を診断する。画面上で「相性診断」ボタンＭＢ６をタッチすると、当該機能が起動する。
【００４８】
「みんなでコラージュ」の機能は、複数人で共同してコラージュ画像を生成し、プリントする機能である。「みんなでコラージュ」ボタンＭＢ７を画面上でタッチすると、当該機能が起動する。
【００４９】
図３に示すように、トップ画面２００において、各機能のボタンは、２つのグループ（第１グループＭＧ１及び第２グループＭＧ２）にグループ分けされて表示される。
【００５０】
第１グループＭＧ１は、「シンプルプリント」、「ムービープリント」及び「インスタントカメラ」の各機能のボタンが属するグループである。第１グループＭＧ１は、単純なプリントを主目的とした機能のグループである。このグループを「Ｐｒｉｎｔ  Ｍｏｄｅ」のグループと称する。
【００５１】
第２グループＭＧ２は、「テンプレートプリント」、「コラージュプリント」、「相性診断」．及び「みんなでコラージュ」の各機能のボタンが属するグループである。第２グループＭＧ２は、加工編集等を要する高度なプリントを主目的とした機能のグループである。このグループを「Ｆｕｎ  Ｍｏｄｅ」のグループと称する。
【００５２】
第１グループＭＧ１に属するボタン（「シンプルプリント」ボタンＭＢ１、「ムービープリント」ボタンＭＢ２及び「インスタントカメラ」ボタンＭＢ３）は、第１グループ表示領域ＭＡ１に表示され、第２グループＭＧ２に属するボタン（「テンプレートプリント」ボタンＭＢ４、「コラージュプリント」ボタンＭＢ５、「相性診断」ボタンＭＢ６及び「みんなでコラージュ」ボタンＭＢ７）は、第２グループ表示領域ＭＡ２に表示される。第１グループ表示領域ＭＡ１は、トップ画面２００の画面右端に設定され、第２グループ表示領域ＭＡ２は、画面下部に設定される。
【００５３】
トップ画面２００には、更に、「設定」ボタンＳＥＢが表示される。「設定」ボタンＳＥＢは、各種設定を行う画面（設定画面）を呼び出すボタンである。「設定」ボタンＳＥＢは、画面右上に表示される。
【００５４】
また、プリンタが接続されている場合（通信が確立している場合）、トップ画面２００には、接続されたプリンタの情報が表示される。プリンタの情報は、プリンタ情報表示領域ＭＡ３に表示される。プリンタ情報表示領域ＭＡ３は、画面上部に設定される。プリンタ情報表示領域ＭＡ３には、接続されているプリンタの名称（たとえば、機種名）、フィルム残量及びバッテリ残量の情報が表示される。これらの情報は、プリンタとの通信が確立した際にプリンタから取得する。
【００５５】
［携帯端末１００−１の第１実施形態］
図４は、図１に示したコラージュ画像作成システム１において、ホストとして機能する携帯端末（第１携帯端末）１００−１の第１実施形態の主な機能を示すブロック図である。
【００５６】
図３に示したトップ画面２００の「みんなでコラージュ」ボタンＭＢ７にタッチすると、ディスプレイ１０５の画面は、トップ画面２００から、コラージュ画像の作成にホストとして参加するか、クライアントとして参加するかを選択する画面に遷移する。携帯端末１００−１は、画面上でホストとして参加する操作を機能選択部により行うことで、その後、ホストとして機能することになる。
【００５７】
図４において、ホストとして機能する携帯端末１００−１は、タッチパッド１０６等からなる操作部１２０と、コラージュ画像作成プログラムを実行することで第１編集部１３０、画像合成部１３２、第１レイアウト表示制御部１３４、及び第１表示制御部１３６として機能するＣＰＵ１０１と、内蔵メモリ１０４と、第１表示部として機能するディスプレイ１０５と、第１通信部として機能する近距離無線通信部１１２とから構成される。
【００５８】
操作部１２０は、レイアウト選択部１２２、第１画像選択部１２４、第１編集指示受付部１２６、及びプリント指示受付部１２８を含む。
【００５９】
レイアウト選択部１２２は、内蔵メモリ１０４等に保存されているコラージュ画像作成用の複数のレイアウトからユーザ操作により１つのレイアウトを選択する操作部である。レイアウトには、複数の画像が合成される（嵌め込まれる）複数の枠が設けられている。選択されたレイアウトの情報は、第１レイアウト表示制御部１３４、画像合成部１３２等に加えられる。
【００６０】
第１画像選択部１２４は、内蔵メモリ１０４等に保存されている複数の画像からコラージュ画像の作成に使用する画像（第１画像）を選択する操作部である。第１画像選択部１２４により選択された第１画像は、第１表示制御部１３６、画像合成部１３２等に加えられる。
【００６１】
第１編集指示受付部１２６は、選択された第１画像に対する編集指示を行う操作部であり、例えば、第１画像をトリミングするための拡大、縮小、移動、回転を指示したり、第１画像に対する画像処理内容（各種のフィルタ処理、明るさ調整、コントラスト調整、彩度調整等）を指示する。
【００６２】
第１編集部１３０は、第１編集指示受付部１２６が受け付けた編集指示に応じて第１枠内に表示された第１画像を編集する。
【００６３】
第１レイアウト表示制御部１３４は、選択されたレイアウトの情報に基づいてディスプレイ１０５に、コラージュ画像作成用のレイアウトを表示させる。
【００６４】
第１表示制御部１３６は、第１画像選択部１２４により選択された第１画像を、ディスプレイ１０５に表示されたレイアウトの複数の枠のうちの携帯端末１００−１に割り当てられた第１枠内に表示させる。また、第１編集部１３０により第１画像が編集されると、編集後の第１画像を第１枠内に表示させる。これにより、ユーザは、第１画像の編集結果を確認することができる。
【００６５】
近距離無線通信部１１２は、選択されたレイアウトの情報及び第１画像を、１以上の他の携帯端末（第２携帯端末）１００−２〜１００−Ｎに送信する。また、第１編集部１３０により第１画像が編集されると、編集後の第１画像、又は編集内容を示す編集情報を携帯端末１００−２〜１００−Ｎに送信する。
【００６６】
また、近距離無線通信部１１２は、携帯端末１００−２〜１００−Ｎにおいて、同様にして選択され、編集された画像（第２画像）を携帯端末１００−２〜１００−Ｎから受信する。
【００６７】
画像合成部１３２は、レイアウトの第１枠内に第１編集部１３０により編集された第１画像を合成し、携帯端末１００−２〜１００−Ｎに割り当てられたレイアウトの第２枠内に携帯端末１００−２〜１００−Ｎから受信した第２画像を合成する。画像合成部１３２は、レイアウトの全ての枠内に第１画像、及び１以上の第２画像を合成することで、コラージュ画像を作成する。
【００６８】
プリント指示受付部１２８は、作成したコラージュ画像をプリント出力する場合にユーザからのプリント指示を受け付ける部分である。このプリント指示受付部１２８は、レイアウトの全ての枠内に第１画像及び第２画像が合成されたコラージュ画像が作成された場合のみ、コラージュ画像のプリント指示を受け付ける。
【００６９】
プリント指示受付部１２８がプリント指示を受け付けると、ホストとして機能する携帯端末１００−１は、送信部として機能する近距離無線通信部１１２からコラージュ画像を、図６に示すようにプリンタ１０に送信する。
【００７０】
尚、図６において、プリンタ１０は、持ち運びが可能なモバイルプリンタで構成される。プリンタ１０は、インスタントフィルム１２に画像をプリントするインスタントプリンタで構成される。インスタントフィルム１２には、シートフィルム方式（モノシートタイプともいう）が使用される。また、１４はプリンタ１０の外装筐体であり、１６はプリンタ１０の電源ボタン１６である。
【００７１】
［携帯端末１００−２の第１実施形態］
図５は、図１に示したコラージュ画像作成システム１において、クライアントとして機能する携帯端末（第２携帯端末）１００−２の第１実施形態の主な機能を示すブロック図である。
【００７２】
図３に示したトップ画面２００の「みんなでコラージュ」ボタンＭＢ７にタッチすると、ディスプレイ１０５の画面は、トップ画面２００から、コラージュ画像の作成にホストとして参加するか、クライアントとして参加するかを選択する画面に遷移する。携帯端末１００−２は、その画面上でクライアントとして参加する操作を行うことで、その後、クライアントとして機能することになる。
【００７３】
図１に示したコラージュ画像作成システム１は、携帯端末１００−１がホストとして機能するため、他の携帯端末１００−２〜１００−Ｎは、クライアントとしてのみ参加できる。尚、図５では、携帯端末１００−２〜１００−Ｎのうちの携帯端末１００−２を示しているが、他のクライアントとして機能する携帯端末も同様の機能を有する。また、図５において、図４に示した携帯端末１００−１と共通する部分には同一の符号を付し、その詳細な説明は省略する。
【００７４】
図５において、クライアントとして機能する携帯端末１００−２は、タッチパッド１０６等からなる操作部１２１と、コラージュ画像作成プログラムを実行することで第２編集部１３１、第２レイアウト表示制御部１３５、及び第２表示制御部１３７として機能するＣＰＵ１０１と、内蔵メモリ１０４と、第２表示部として機能するディスプレイ１０５と、第２通信部として機能する近距離無線通信部１１２とから構成される。
【００７５】
操作部１２１は、第２画像選択部１２５、及び第２編集指示受付部１２７を含む。本例の携帯端末１００−２は、図４に示したホストの携帯端末１００−１のようにレイアウト選択部１２２、及びプリント指示受付部１２８、及び画像合成部１３２が設けられていない。クライアントとして機能する携帯端末１００−２は、コラージュ画像作成用のレイアウトを選択する必要がなく、また、コラージュ画像を生成したり、プリント出力しないからである。
【００７６】
第２画像選択部１２５、及び第２編集指示受付部１２７は、図４に示した第１画像選択部１２４、及び第１編集指示受付部１２６と同様の機能を有する。
【００７７】
第２画像選択部１２５は、内蔵メモリ１０４等に保存されている複数の画像からコラージュ画像の作成に使用する画像（第２画像）を選択する操作部である。第２画像選択部１２５により選択された第２画像は、第２表示制御部１３７等に加えられる。
【００７８】
第２編集指示受付部１２７は、選択された第２画像に対する編集指示を行う操作部であり、例えば、第２画像をトリミングするための拡大、縮小、移動、回転を指示したり、第２画像に対する画像処理内容を指示する。
【００７９】
第２レイアウト表示制御部１３５は、近距離無線通信部１１２を介してホストの携帯端末１００−１から受信したコラージュ画像作成用のレイアウトの情報に基づいて、ディスプレイ１０５にレイアウトを表示させる。
【００８０】
第２表示制御部１３７は、第２画像選択部１２５により選択された第２画像を、ディスプレイ１０５に表示されたレイアウトの複数の枠のうちの携帯端末１００−２に割り当てられた第２枠内に表示させる。また、第２編集部１３１により第２画像が編集されると、編集後の第２画像を第２枠内に表示させる。これにより、ユーザは、第２画像の編集結果を確認することができる。
【００８１】
近距離無線通信部１１２は、携帯端末１００−１からレイアウトの情報及び第１画像を受信し、また、選択した第２画像を携帯端末１００−１に送信し、第２編集部１３１により第２画像が編集されると、編集後の第２画像、又は編集内容を示す編集情報を携帯端末１００−１に送信する。
【００８２】
［コラージュ画像作成方法の第１実施形態］
図７Ａから図７Ｃは、本発明に係るコラージュ画像作成方法の第１実施形態を示すフローチャートである。尚、第１実施形態のコラージュ画像作成方法は、図４及び図５に示した第１実施形態の携帯端末１００−１、１００−２等から構成されるコラージュ画像作成システムが実施する方法に関して示している。
【００８３】
図７Ａにおいて、携帯端末１００−１のユーザは、コラージュ画像作成プログラムを含むアプリケーションソフトを実行させ、携帯端末１００−１のディスプレイ１０５にトップ画面２００（図３）を表示させ、トップ画面２００上の「みんなでコラージュ」ボタンＭＢ７にタッチする。
【００８４】
「みんなでコラージュ」ボタンＭＢ７がタッチされると、携帯端末１００−１のディスプレイ１０５には、「みんなでコラージュ」にホストとして参加するか、クライアントとして参加するかを選択するメニュー（図示せず）が表示される。
【００８５】
本例の携帯端末１００−１のユーザは、ホストとしてコラージュ画像の作成に参加することを示すアイコンボタン（機能選択部）にタッチする（ステップＳ１００）。これにより、携帯端末１００−１は、その後、図４に示したようにコラージュ画像の作成に「ホスト」として機能する。
【００８６】
一方、１以上の他の携帯端末（例えば、携帯端末１００−２）のユーザもトップ画面２００上の「みんなでコラージュ」ボタンＭＢ７にタッチすると、ディスプレイ１０５の画面は、コラージュ画像の作成にホストとして参加するか、クライアントとして参加するかを選択する画面に遷移する。本例の携帯端末１００−２のユーザは、その画面上でクライアントとしてコラージュ画像の作成に参加することを示すアイコンボタン（機能選択部）にタッチする（ステップＳ２００）。これにより、携帯端末１００−２は、その後、図５に示したようにコラージュ画像の作成に「クライアント」として機能する。尚、携帯端末１００−２のユーザは、ホストとして機能する携帯端末１００−１のユーザと同じグループでは、ホストとしては参加できない。
【００８７】
続いて、クライアントとして参加する携帯端末１００−２のユーザは、ホストとして機能する携帯端末１００−１が開放しているネットワーク（本例では、ブルートゥース(Bluetooth)（登録商標））を選択する（ステップＳ２０２）。これにより、ホストとして機能する携帯端末１００−１とクライアントとして機能する携帯端末１００−２との間でブルートゥース接続が確立し、両者間で無線通信が可能になる。
【００８８】
続いて、ホストとして機能する携帯端末１００−１のユーザは、コラージュ画像の作成に招待（参加）するユーザを選択する（ステップＳ１０２）。
【００８９】
図９は、他のユーザを招待する場合の携帯端末１００−１の画面の一例を示す図である。携帯端末１００−１のユーザは、この画面上で通信可能になっている他のユーザの携帯端末を示すアイコンボタンのうちの招待するユーザに対応するアイコンボタンをタッチし、その後、「スタート」ボタンＳＴをタッチすることで、コラージュ画像を作成するユーザを決定する。
【００９０】
尚、図９において、ＢＢは「バック」ボタンであり、ＴＢは「トップ」ボタンである。「バック」ボタンＢＢは、一つ前の画面に戻ることを指示するボタンである。「トップ」ボタンＴＢは、トップ画面２００に戻ることを指示するボタンである。
【００９１】
図１０は、ホストとして機能する携帯端末側でコラージュ画像の作成に参加するユーザを決定するまでの間に表示される、クライアントとして機能する携帯端末に表示される画面の一例を示す図である。尚、この画面の表示は、省略することが可能である。また、本例では、携帯端末１００−２、１００−３の二人のユーザが招待されたものとして、説明する。
【００９２】
次に、ホストとして機能する携帯端末１００−１のユーザは、コラージュ画像作成用のレイアウトを選択する（ステップＳ１０４）。即ち、ユーザは、レイアウト選択部１２２（図４）を操作し、内蔵メモリ１０４等に保存されているコラージュ画像作成用の複数のレイアウトから１つのレイアウトを選択する。
【００９３】
図１１は、レイアウトを選択する場合に携帯端末１００−１に表示される画面の一例を示す図である。
【００９４】
携帯端末１００−１のユーザは、コラージュ画像の作成に参加するユーザの人数（自分を含む）に対応する分割数を有するレイアウトの中から所望のレイアウトを選択する。ここで、分割数は、１フレームを複数の領域に分割する数であり、コラージュ画像を作成するために使用する写真の数に相当する。
【００９５】
ユーザは、図１１に示した画面上で、所望のレイアウトをタッチし、「スタート」ボタンＳＴをタッチすることで、コラージュ画像作成用のレイアウトを選択する。尚、本例では、二人のユーザをコラージュ画像の作成に招待したため、自分を含む３人分の分割数を有するレイアウトが選択される。
【００９６】
ホストとして機能する携帯端末１００−１は、コラージュ画像作成用のレイアウトが決定されると、そのレイアウトを示すレイアウトの情報（以下、「レイアウト情報」という）を、近距離無線通信部１１２を介してクライアントとして機能する携帯端末１００−２、１００−３に送信する。
【００９７】
コラージュ画像作成用のレイアウトが選択されると、ホストとして機能する携帯端末１００−１には、レイアウトを含むコラージュ画像の作成に使用する画面が表示される。
【００９８】
図１２は、ホストとして機能する携帯端末１００−１に表示されるコラージュ画像の作成に使用する画面の一例を示す図である。
【００９９】
図１２に示す画面の中央部には、図６に示したインスタントフィルム１２を示す領域ＰＬが表示され、領域ＰＬの内側に画像が印画される領域ＰＩが表示される。
【０１００】
第１レイアウト表示制御部１３４は、選択されたレイアウトの情報に基づいてレイアウトをディスプレイ１０５に表示させる。
【０１０１】
本例のレイアウトは、領域ＰＩを画成する３つの枠Ｆ１、Ｆ２，Ｆ３から構成されている。ここで、レイアウトの枠Ｆ１の領域Ａ１は、ホスト用に割り当てられた領域であり、２つの枠Ｆ２，Ｆ３（第２枠）は、クライアント用に割り当てられた領域であり、携帯端末１００−１、１００−２、１００−３の各ユーザの画像は、枠Ｆ１，Ｆ２，Ｆ３内（領域Ａ１，Ａ２，Ａ３）に合成される（嵌め込まれる）。
【０１０２】
ホストとして機能する携帯端末１００−１の画面には、自分に割り当てられた領域Ａ１と、他のユーザに割り当てられた領域Ａ２，Ａ３とが識別可能に表示される。
【０１０３】
インスタントフィルム１２を示す領域ＰＬの下方には、レイアウトの枠（枠線）を印刷するか否かを選択するための「枠線」ボタンＭＢ１１、お楽しみモードの選択をＯＮ／ＯＦＦするための「お楽しみモード」ボタンＭＢ１２が設けられている。
【０１０４】
モード選択部として機能する「お楽しみモード」ボタンＭＢ１２は、ディスプレイ１０５に表示された自分の画像を、他のユーザの携帯端末にも表示させるモード（第１モード）と、自分の画像を他のユーザの携帯端末に表示させないモード（第２モード）とを選択するためのボタンである。したがって、お楽しみモードとしてＯＮが選択されると、プリンタ１０によりコラージュ画像がプリントされるまで、各ユーザは自分以外の画像を確認できず、プリント出力されるコラージュ画像の意外性を楽しむことができる。
【０１０５】
ホストとして参加する携帯端末１００−１のユーザは、「枠線」ボタンＭＢ１１、「お楽しみモード」ボタンＭＢ１２により、枠線のＯＮ／ＯＦＦ、お楽しみモードのＯＮ／ＯＦＦを選択する（ステップＳ１０６）。図１２に示す例では、枠線ＯＦＦ、お楽しみモードＯＦＦが選択されている。
【０１０６】
次に、ホストとして機能する携帯端末１００−１のユーザは、コラージュ画像の作成に使用する画像（第１画像）を、携帯端末１００−１の内蔵メモリ１０４の保存された複数の画像から選択する（ステップＳ１０８）。即ち、ユーザは、第１画像選択部１２４（図４）での画像選択操作により、内蔵メモリ１０４等に保存されている複数の画像からコラージュ画像の作成に使用する第１画像を選択する。
【０１０７】
一方、クライアントとして機能する携帯端末１００−２、１００−３のユーザは、第２画像選択部１２５（図５）での画像選択操作により、内蔵メモリ１０４等に保存された複数の画像からコラージュ画像の作成に使用する画像（第２画像）を選択する（ステップＳ２０４）。
【０１０８】
本例では、ステップＳ１０８にて第１画像が選択されると、選択された第１画像を携帯端末１００−１から携帯端末１００−２、１００−３に送信し、ステップＳ２０４にて第２画像が選択されると、選択された第２画像を携帯端末１００−２、１００−３から携帯端末１００−１に送信するが、これに限らず、各携帯端末で選択された画像の編集が完了し、「編集完了」ボタンＭＢ１５が操作された場合に、携帯端末間でコラージュ画像の作成に選択された画像の送受信を行うようにしてもよい。
【０１０９】
クライアントとして機能する携帯端末１００−２、１００−３は、携帯端末１００−１からレイアウト情報を受信しているため、第２レイアウト表示制御部１３５（図５）は、図１２と同様な画面をディスプレイ１０５に表示させることができる。また、携帯端末１００−２、又は１００−３は、それぞれの携帯端末に割り当てられたレイアウトの枠Ｆ２又はＦ３（領域Ａ２又はＡ３）を識別可能に表示することが好ましい。
【０１１０】
次に、ホストとして機能する携帯端末１００−１、及びクライアントとして機能する携帯端末１００−２、１００−３は、お楽しみモードがＯＦＦの場合（ステップＳ１１０、ステップＳ２０６）、図７Ｂに示す処理に遷移する。
【０１１１】
図７Ｂにおいて、ホストとして機能する携帯端末１００−１の第１表示制御部１３６は、ステップＳ１０８で選択した第１画像をレイアウトの枠Ｆ１内に表示させる（ステップＳ１１２）。即ち、ステップＳ１０８で選択した第１画像は、内蔵メモリ１０４から読み出され（図３）、携帯端末１００−１に割り当てられたレイアウトの枠Ｆ１内の領域Ａ１に合成される（図１４）。
【０１１２】
また、クライアントとして機能する携帯端末１００−２、１００−３の第２表示制御部１３７は、ステップＳ２０４で選択した第２画像をレイアウトの対応する第２枠（枠Ｆ２、Ｆ３）に表示させる（ステップＳ２０８）。
【０１１３】
続いて、ホストとして機能する携帯端末１００−１は、クライアントとして機能する携帯端末１００−２、１００−３からコラージュ画像の作成に使用する第２画像を受信したか否かを判別し（ステップＳ１１４）、受信している場合（「Yes」の場合）には、第１表示制御部１３６は、受信した第２画像をレイアウトの対応する枠Ｆ２，Ｆ３内に表示させる（ステップＳ１１６）。
【０１１４】
同様に、クライアントとして機能する携帯端末１００−２、１００−３は、ホストとして機能する携帯端末１００−１からコラージュ画像の作成に使用する第１画像を受信したか否かを判別し（ステップＳ２１０）、受信している場合（「Yes」の場合）には、第２表示制御部１３７は、受信した第１画像をレイアウトの対応する枠Ｆ１内に表示させる（ステップＳ２１２）。
【０１１５】
次に、ホストとして機能する携帯端末１００−１は、第１画像を編集するか否かを判別する（ステップＳ１１８）。
【０１１６】
図１４等に示すように、携帯端末１００−１の画面の下部には、「画像の編集」ボタンＭＢ１３、「送信」ボタンＭＢ１４、及び「編集完了」ボタンＭＢ１５が設けられている。携帯端末１００−１は、「画像の編集」ボタンＭＢ１３がタッチされると、第１画像が編集されるものと判別し、図示しない編集用の画面に遷移させる。
【０１１７】
編集用の画面では、第１編集指示受付部１２６として機能する各種の編集用のアイコンボタンが表示される。編集用のアイコンボタンとしては、第１画像をトリミングするための拡大、移動、回転を指示するボタン、及び第１画像に対する画像処理内容（各種のフィルタ処理、明るさ調整、コントラスト調整、彩度調整等）を指示するボタンを含めることができる。
【０１１８】
第１編集部１３０は、編集用のアイコンボタンが操作されたか否かを判別し（ステップＳ１２０）、編集用のアイコンボタンが操作された場合（「Yes」の場合）には、編集用のアイコンボタンの操作に応じた第１画像に対する編集の情報（編集情報）を受け付け（ステップＳ１２０）、編集情報により第１画像を編集する（ステップＳ１２２）。
【０１１９】
また、ステップＳ１２０で受け付けた第１画像に対する編集情報は、クライアントとして機能する携帯端末１００−２、１００−３に送信される。この第１画像に対する編集情報は、携帯端末１００−２、１００−３のディスプレイ１０５に表示されるレイアウトの枠Ｆ１内の第１画像を編集する場合に使用される。
【０１２０】
同様に、クライアントとして機能する携帯端末１００−２、１００−３は、第２画像を編集するか否かを判別する（ステップＳ２１４）。携帯端末１００−２、１００−３の画面にも、図１４に示した画面と同様な画面が表示され、携帯端末１００−２、１００−３は、「画像の編集」ボタンＭＢ１３がタッチされると、第２画像が編集されるものと判別し、編集用の画面に遷移させる。
【０１２１】
編集用の画面では、第２編集指示受付部１２７として機能する各種の編集用のアイコンボタンが表示される。第２編集部１３１（図５）は、編集用のアイコンボタンが操作されたか否かを判別し（ステップＳ２１４）、編集用のアイコンボタンが操作された場合（「Yes」の場合）には、編集用のアイコンボタンの操作に応じた第２画像に対する編集情報を受け付け（ステップＳ２１６）、編集情報により第２画像を編集する（ステップＳ２１８）。
【０１２２】
また、ステップＳ２１６で受け付けた第２画像に対する編集情報は、ホストとして機能する携帯端末１００−１に送信される。この第２画像に対する編集情報は、第２画像を使用してコラージュ画像を作成する際に、第２画像を携帯端末１００−１側で編集する場合に使用したり、携帯端末１００−１のディスプレイ１０５に表示されるレイアウトの枠Ｆ２，Ｆ３内の第２画像を編集する場合に使用される。
【０１２３】
尚、ホストとして機能する携帯端末１００−１は、第１画像に対する編集情報をクライアントとして機能する携帯端末１００−２、１００−３に送信する代わりに、編集後の第１画像を再度、携帯端末１００−２、１００−３に送信するようにしてもよいし、クライアントして機能する携帯端末１００−２、１００−３は、第２画像に対する編集情報をホストとして機能する携帯端末１００−１に送信する代わりに、編集後の第２画像を再度、携帯端末１００−１に送信するようにしてもよい。また、携帯端末１００−１から携帯端末１００−２、１００−３に送信する第１画像は、携帯端末１００−２、１００−３のディスプレイ１０５に表示されるレイアウトの枠Ｆ１内に合成するために使用されるため、画像サイズの小さい第１画像を送信することが好ましい。
【０１２４】
続いて、ホストとして機能する携帯端末１００−１の画像合成部１３２は、自分の第１画像をレイアウトの枠Ｆ１内に合成し、クライアントとして機能する携帯端末１００−２、１００−３から受信した第２画像をレイアウトの枠Ｆ２、Ｆ３内に合成し、コラージュ画像を作成する（ステップＳ１２３）。
【０１２５】
ここで、画像合成部１３２は、コラージュ画像の作成に当たって、第１画像又は第２画像の編集が行われると、その編集結果を反映させたコラージュ画像を作成する。
【０１２６】
次に、ホストとして機能する携帯端末１００−１は、コラージュ画像が完成したか否かを判別する（ステップＳ１２４）。尚、図１５に示すように、レイアウトの全ての枠Ｆ１、Ｆ２、Ｆ３内に第１画像、第２画像が合成され、かつ「編集完了」ボタンＭＢ１５等が操作された場合を、コラージュ画像の完成と判別することができる。
【０１２７】
ステップＳ１２４において、コラージュ画像が完成したと判別されると（「Yes」の場合）、図７Ｃに示すようにコラージュ画像をプリント出力するか否かが判別される（ステップＳ１２６）。
【０１２８】
ディスプレイ１０５上の「プリント」ボタン（図示せず）が操作された場合、コラージュ画像をプリント出力すると判別することができる。そして、コラージュ画像をプリント出力する場合（「プリント」ボタンが操作された場合）、携帯端末１００−１は、図６に示すようにプリンタ１０との無線接続を確立した後、コラージュ画像をプリンタ１０に送信する（ステップＳ１２８）。
【０１２９】
また、携帯端末１００−１はコラージュ画像のプリント出力後、再プリントできるようにコラージュ画像を内蔵メモリ１０４に記憶する（ステップＳ１３０）。
【０１３０】
また、ステップＳ１２６によりプリント出力すると判別されると、プリント出力を示す通知をクライアントとして機能する携帯端末１００−２、１００−３に通知する。
【０１３１】
携帯端末１００−２、１００−３では、携帯端末１００−１から受信するプリント出力を示す通知に基づいてプリント出力されたか否かを判別し（ステップＳ２２０）、プリント出力された場合（「Yes」の場合）、携帯端末１００−２、１００−３での処理が終了する。
【０１３２】
一方、ステップＳ２２０において、プリント出力されていないと判別されると（「No」の場合）、図７Ｂに示したステップＳ２０８に遷移する。これにより、クライアントとして機能する携帯端末１００−２、１００−３のユーザは、引き続き第２画像の編集を行うことができる。
【０１３３】
次に、お楽しみモードがＯＮにされた場合について説明する。
【０１３４】
図１６は、ホストとして機能する携帯端末１００−１に表示されるコラージュ画像の作成に使用する画面の他の例を示す図であり、「お楽しみモード」ボタンＭＢ１２により、お楽しみモードがＯＮにされている場合に関して示している。
【０１３５】
図７Ａに示したステップＳ１１０、ステップＳ２０６において、お楽しみモードがＯＮであると判別されると、図８に示すステップＳ１１２、ステップＳ２０８に遷移する。尚、図８において、図７Ｂと共通するステップには同一のステップ番号を付し、その詳細な説明は省略する。
【０１３６】
図８のステップＳ１１２において、ホストとして機能する携帯端末１００−１の第１表示制御部１３６は、ステップＳ１０８で選択した第１画像のみをレイアウトの枠Ｆ１内に表示させる（図１７参照）。
【０１３７】
また、ステップＳ１１４において、クライアントとして機能する携帯端末１００−２、１００−３からコラージュ画像の作成に使用する第２画像を受信したと判別されると（「Yes」の場合）、第１表示制御部１３６は、受信した第２画像をレイアウトの対応する枠Ｆ２，Ｆ３内に表示させずに、第２画像が秘密状態であることを示す「ＳＥＣＲＥＴ」アイコンを表示させる（ステップＳ１４０）。
【０１３８】
一方、図８のステップＳ２１０において、ホストとして機能する携帯端末１００−１からコラージュ画像の作成に使用する第１画像を受信したと判別されると（「Yes」の場合）、クライアントとして機能する携帯端末１００−２、１００−３の第２表示制御部１３７は、受信した第１画像をレイアウトの対応する枠Ｆ１内に表示させずに、第１画像が秘密状態であることを示す「ＳＥＣＲＥＴ」アイコンを表示させる（ステップＳ２４０、図１８参照）。
【０１３９】
尚、お楽しみモードがＯＮにされた場合、ホストとして機能する携帯端末１００−１は、第１画像をクライアントとして機能する携帯端末１００−２、１００−３に送信せずに、第１画像が選択されたこと（第１画像を秘密にすること）を示す情報を送信してもよく、この情報を受信した携帯端末１００−２、１００−３の第２表示制御部１３７は、レイアウトの枠Ｆ１内に第１画像が秘密状態であることを示す「ＳＥＣＲＥＴ」アイコンを表示させる。
【０１４０】
図１９は、クライアントとして機能する携帯端末１００−３に表示されるコラージュ画像の作成に使用する画面の一例を示す図であり、お楽しみモードがＯＮにされている場合に関して示している。
【０１４１】
携帯端末１００−１により第１画像が選択され、また、携帯端末１００−２により第２画像が選択されている場合、クライアントとして機能する携帯端末１００−３は、第２画像選択部１２５により選択された第２画像のみを、ディスプレイ１０５のレイアウトの枠Ｆ３内に表示し、レイアウトの枠Ｆ１、Ｆ２内には、「ＳＥＣＲＥＴ」アイコンを表示させる。
【０１４２】
尚、図８に示すステップＳ１２３において、ホストとして機能する携帯端末１００−１の画像合成部１３２は、第１画像をレイアウトの枠Ｆ１内に合成し、クライアントとして機能する携帯端末１００−２、１００−３から受信した第２画像をレイアウトの枠Ｆ２、Ｆ３内に合成し、コラージュ画像を作成するが、お楽しみモードがＯＮの場合、作成されたコラージュ画像はディスプレイ１０５には表示されない。
【０１４３】
［携帯端末１００−１の第２実施形態］
図２０は、図１に示したコラージュ画像作成システム１において、ホストとして機能する携帯端末１００−１の第２実施形態の主な機能を示すブロック図である。尚、図２０において、図４に示した第１実施形態の携帯端末１００−１と共通する部分には同一の符号を付し、その詳細な説明は省略する。
【０１４４】
第２実施形態の携帯端末１００−１は、第１画像の選択及びその編集を行わずに、第１画像を撮影する点で、第１実施形態の携帯端末１００−１と相違する。
【０１４５】
したがって、図２０に示す第２実施形態の携帯端末１００−１は、図４に示した第１実施形態と比較して、カメラ部（第１カメラ部）１０８が追加され、一方、操作部１２０内の第１画像選択部１２４、第１編集指示受付部１２６が削除され、また、ＣＰＵ１０１内の第１編集部１３０が削除されている。
【０１４６】
カメラ部１０８は、ライブビュー画像を撮影するとともに、撮影ボタンからの撮影指示にしたがって画像（第１画像）を撮影する。
【０１４７】
第１表示制御部１３６は、カメラ部１０８により撮影されたライブビュー画像、又は静止画として撮影された第１画像を、ディスプレイ１０５に表示されたレイアウトの複数の枠のうちの携帯端末１００−１に割り当てられた枠Ｆ１内に表示させる。
【０１４８】
携帯端末１００−１のユーザは、ディスプレイ１０５に表示されたレイアウトの枠Ｆ１内のライブビュー画像を見ながら、枠Ｆ１に合った構図を設定したり、ズーム倍率や撮影距離を変えることで画像の大きさを調整することができる。
【０１４９】
画像合成部１３２は、撮影ボタンからの撮影指示にしたがってカメラ部１０８により第１画像が撮影されると、第１画像をレイアウトの枠Ｆ１内に撮影した第１画像を合成する。また、後述するように近距離無線通信部１１２を介してクライアントとして機能する携帯端末１００−２、１００−３から第２画像を受信すると、携帯端末１００−２、１００−３に割り当てられたレイアウトの枠Ｆ２，Ｆ３内に携帯端末１００−２，１００−２から受信した第２画像を合成する。
【０１５０】
更に携帯端末１００−１は、カメラ部１０８により第１画像が撮影されると、ライアントとして機能する携帯端末１００−２、１００−３側で第１画像を確認できるように、近距離無線通信部１１２を介して第１画像を携帯端末１００−２、１００−３に送信する。
【０１５１】
［携帯端末１００−２の第２実施形態］
図２１は、図１に示したコラージュ画像作成システム１において、クライアントとして機能する携帯端末１００−２の第２実施形態の主な機能を示すブロック図である。尚、図２１において、図５に示した第１実施形態の携帯端末１００−２と共通する部分には同一の符号を付し、その詳細な説明は省略する。
【０１５２】
第２実施形態の携帯端末１００−２は、第１画像の選択及びその編集を行わずに、第２画像を撮影する点で、第２実施形態の携帯端末１００−１と相違する。
【０１５３】
したがって、図２１に示す第２実施形態の携帯端末１００−２は、図５に示した第１実施形態と比較して、カメラ部（第２カメラ部）１０８が追加され、一方、操作部１２１が削除され、また、ＣＰＵ１０１内の第２編集部１３１が削除されている。
【０１５４】
カメラ部１０８は、ライブビュー画像を撮影するとともに、撮影ボタンからの撮影指示にしたがって画像（第２画像）を撮影する。
【０１５５】
第２表示制御部１３７は、カメラ部１０８により撮影されたライブビュー画像、又は静止画として撮影された第２画像を、ディスプレイ１０５に表示されたレイアウトの複数の枠のうちの携帯端末１００−２に割り当てられた枠Ｆ２内に表示させる。また、ホストとして機能する携帯端末１００−１から第１画像を受信している場合には、第２表示制御部１３７は、レイアウトの複数の枠のうちの携帯端末１００−１に割り当てられた枠Ｆ１内に受信した第１画像を表示させる。
【０１５６】
携帯端末１００−２のユーザは、ディスプレイ１０５に表示されたレイアウトの枠Ｆ２内のライブビュー画像を見ながら、枠Ｆ２に合った構図を設定したり、ズーム倍率や撮影距離を変えることで画像の大きさを調整することができる。
【０１５７】
また、撮影ボタンからの撮影指示にしたがってカメラ部１０８により第２画像が撮影されると、近距離無線通信部１１２を介して第２画像をホストとして機能する携帯端末１００−１に送信する。
【０１５８】
第２実施形態の携帯端末１００−１、１００−２等を含むコラージュ画像作成システムによれば、コラージュ画像の作成に使用する画像（第１画像、第２画像）をカメラ部１０８により直接撮影し、また、これらの第１画像、第２画像の撮り直しを可能にすることで、第１画像、第２画像を編集する場合と同様にコラージュ画像に適した画像を取得することができる。
【０１５９】
尚、第１実施形態の携帯端末と第２実施形態の携帯端末とが混在するコラージュ画像作成システムを構成してもよい。例えば、ホストとして機能する携帯端末１００−１は、コラージュ画像の作成に使用する第１画像を内蔵メモリ１０４から選択し、選択した第１画像を編集し、一方、クライアントとして機能する携帯端末１００−２は、コラージュ画像の作成に使用する第２画像をカメラ部１０８での撮影により直接取得するようにしてもよい。
【０１６０】
［コラージュ画像作成方法の第２実施形態］
図２２Ａ及び図２２Ｂは、本発明に係るコラージュ画像作成方法の第２実施形態の要部を示すフローチャートである。
【０１６１】
尚、第２実施形態のコラージュ画像作成方法は、図２０及び図２１に示した第２実施形態の携帯端末１００−１、１００−２から構成されるコラージュ画像作成システムが実施する方法に関して示している。また、図２２Ａ及び図２２Ｂは、コラージュ画像作成方法の第１実施形態の図７Ａ及び図７Ｂに対応する処理部分であり、図７Ｃに対応する処理部分は共通するため、省略する。更に、図２２Ａ及び図２２Ｂにおいて、コラージュ画像作成方法の第１実施形態の図７Ａ及び図７Ｂと共通する部分には同一のステップ番号を付し、その詳細な説明は省略する。
【０１６２】
ホストとして機能する携帯端末１００−１のユーザは、カメラ部１０８によりライブビュー画像を撮影する。撮影されたライブビュー画像は、第１表示制御部１３６によりディスプレイ１０５に表示されたレイアウトの枠Ｆ１内に表示される。これにより、ユーザは、ディスプレイ１０５に表示されたレイアウトの枠Ｆ１内のライブビュー画像を見ながら、枠Ｆ１に合った構図を設定したり、ズーム倍率や撮影距離を変えることで画像の大きさを調整することができる。
【０１６３】
図２２ＡのステップＳ１５０では、撮影ボタンからの撮影指示を受け付けると、携帯端末１００−１に設けられたカメラ部１０８は、コラージュ画像の作成に使用する画像（第１画像）を撮影する。
【０１６４】
一方、クライアントとして機能する携帯端末１００−２、１００−３のユーザは、カメラ部１０８によりライブビュー画像を撮影する。撮影されたライブビュー画像は、第２表示制御部１３７によりディスプレイ１０５に表示されたレイアウトの枠Ｆ２、Ｆ３内に表示される。これにより、ユーザは、ディスプレイ１０５に表示されたレイアウトの枠Ｆ２，Ｆ３内のライブビュー画像を見ながら、枠Ｆ２、Ｆ３に合った構図を設定したり、ズーム倍率や撮影距離を変えることで画像の大きさを調整することができる。
【０１６５】
図２２ＡのステップＳ２５０では、撮影ボタンからの撮影指示を受け付けると、携帯端末１００−２、１００−３に設けられたカメラ部１０８は、コラージュ画像の作成に使用する画像（第２画像）を撮影する。
【０１６６】
次に、ステップＳ１１０、ステップＳ２０６において、お楽しみモードがＯＦＦに設定されている場合について説明する。
【０１６７】
この場合、ホストとして機能する携帯端末１００−１、及びクライアントとして機能する携帯端末１００−２、１００−３は、図２２Ｂに示す処理に遷移する。
【０１６８】
図２２Ｂにおいて、ホストとして機能する携帯端末１００−１の第１表示制御部１３６は、ステップＳ１５０で撮影した第１画像をレイアウトの第１枠（枠Ｆ１）に表示させる（ステップＳ１１２）。
【０１６９】
また、クライアントとして機能する携帯端末１００−２、１００−３の第２表示制御部１３７は、ステップＳ２５０で撮影した第２画像をレイアウトの対応する第２枠（枠Ｆ２、Ｆ３）に表示させる（ステップＳ２０８）。
【０１７０】
次に、ホストとして機能する携帯端末１００−１は、第１画像を撮り直すか否かを判別する（ステップＳ１５２）。
【０１７１】
図１４等に示すように、携帯端末１００−１の画面上の「バック」ボタンＢＢがタッチされると、携帯端末１００−１は、一つ前の状態に戻り、レイアウトの枠Ｆ１にライブビュー画像を表示させ、第１画像の撮り直しを可能する。
【０１７２】
ステップＳ１５２において、第１画像の取り直しが行われると判別されると、その後、撮影ボタンからの撮影指示を受け付けたか否かを判別する（ステップＳ１５４）。そして、撮影指示を受け付けると（「Yes」の場合）、携帯端末１００−１に設けられたカメラ部１０８は、コラージュ画像の作成に使用する第１画像を撮り直す（再度撮影する）（ステップＳ１５６）。
【０１７３】
尚、第１画像の撮り直し行われると、撮り直しされた最新の第１画像は、クライアントとして機能する携帯端末１００−２、１００−３に送信される。携帯端末１００−２、１００−３のディスプレイ１０５に表示されたレイアウトの枠Ｆ１内の第１画像を、携帯端末１００−２、１００−３側で更新するためである。
【０１７４】
同様に、クライアントとして機能する携帯端末１００−２、１００−３は、第２画像を撮り直すか否かを判別する（ステップＳ２５２）。
【０１７５】
ステップＳ１２５２において、第２画像の取り直しが行われると判別されると、その後、撮影ボタンからの撮影指示を受け付けたか否かを判別する（ステップＳ２５４）。そして、撮影指示を受け付けると（「Yes」の場合）、携帯端末１００−２、１００−３に設けられたカメラ部１０８は、コラージュ画像の作成に使用する第２画像を撮り直す（再度撮影する）（ステップＳ２５６）。
【０１７６】
尚、第２画像の撮り直し行われると、撮り直しされた最新の第２画像は、ホストとして機能する携帯端末１００−１に送信される。携帯端末１００−１のディスプレイ１０５に表示されたレイアウトの枠Ｆ２、Ｆ３内の第２画像を更新するためである。
【０１７７】
また、図２２Ａに示したステップＳ１１０、ステップＳ２０６において、お楽しみモードがＯＮであると判別されると、図２３に示すステップＳ１１２、ステップＳ２０８に遷移する。尚、図２３において、図２２Ｂと共通するステップには同一のステップ番号を付し、その詳細な説明は省略する。
【０１７８】
図２３のステップＳ１１２において、ホストとして機能する携帯端末１００−１の第１表示制御部１３６は、ステップＳ１５０で撮影した第１画像のみをレイアウトの枠Ｆ１に表示させる。
【０１７９】
また、ステップＳ１１４において、クライアントとして機能する携帯端末１００−２、１００−３からコラージュ画像の作成に使用する第２画像を受信したと判別されると（「Yes」の場合）、第１表示制御部１３６は、受信した第２画像をレイアウトの対応する枠Ｆ２，Ｆ３内に表示させずに、第２画像が秘密状態であることを示す「ＳＥＣＲＥＴ」アイコンを表示させる（ステップＳ１４０）。
【０１８０】
また、図２３のステップＳ２１０において、ホストとして機能する携帯端末１００−１からコラージュ画像の作成に使用する第１画像を受信したと判別されると（「Yes」の場合）、クライアントとして機能する携帯端末１００−２、１００−３の第２表示制御部１３７は、受信した第１画像をレイアウトの対応する枠Ｆ１内に表示させずに、第１画像が秘密状態であることを示す「ＳＥＣＲＥＴ」アイコンを表示させる（ステップＳ２４０）。
【０１８１】
尚、お楽しみモードがＯＮにされた場合、ホストとして機能する携帯端末１００−１は、第１画像をクライアントとして機能する携帯端末１００−２、１００−３に送信せずに、第１画像が撮影されたこと（第１画像を秘密にすること）を示す情報を送信してもよく、この情報を受信した携帯端末１００−２、１００−３の第２表示制御部１３７は、レイアウトの枠Ｆ１内に第１画像が秘密状態であることを示す「ＳＥＣＲＥＴ」アイコンを表示させる。
【０１８２】
また、図２３に示すステップＳ１２３において、ホストとして機能する携帯端末１００−１の画像合成部１３２は、第１画像をレイアウトの枠Ｆ１内に合成し、クライアントとして機能する携帯端末１００−２、１００−３から受信した第２画像をレイアウトの枠Ｆ２、Ｆ３内に合成し、コラージュ画像を作成するが、お楽しみモードがＯＮの場合、作成されたコラージュ画像はディスプレイ１０５には表示されない。
【０１８３】
お楽しみモードがＯＮの場合、コラージュ画像の作成に使用される複数の画像のうち、各ユーザは自分の画像のみをディスプレイ１０５で確認することができるが、他のユーザの画像を確認することができず、完成されたコラージュ画像も確認することができない。そして、完成されたコラージュ画像がプリンタ１０でプリントされた場合に初めてコラージュ画像を確認することができる。
【０１８４】
また、お楽しみモードがＯＮの場合、本例ではプリンタ１０でプリントされた場合に初めてコラージュ画像を確認できるようにしたが、これに限らず、ホストとして機能する携帯端末のユーザは、お楽しみモードがＯＮの場合でもコラージュ画像を確認でき、クライアントとして機能する携帯端末のユーザは、自分の画像のみを確認でき、ホストとして機能する携帯端末から完成したコラージュ画像が送信された場合にコラージュ画像を確認できるようにしてもよい。
【０１８５】
また、コラージュ画像の再生時間設定機能を設け、一定時間経過後、又は特定の日にならないとコラージュ画像を再生したり、プリントすることができない機能を設けるようにしてもよい。例えば、ホストとして機能する携帯端末から友達にコラージュ画像を送信するが、送信されたコラージュ画像は、特定に日（例えば、友達の誕生日）にならないとプリントや画像再生ができない等の機能を追加してもよい。
【０１８６】
更に、一定の期間経過（例えば、１０年）後にコラージュ画像の作成に参加した人、友人、クラスメート等にコラージュ画像を送る等のタイムカプセル的な使い方も考えられる。
【０１８７】
また、本例では、選択したレイアウトに対し、ホストとして機能する携帯端末１００−１のユーザには枠Ｆ１が割り当てられ、クライアントとして機能する携帯端末１００−２、１００−３のユーザにはそれぞれ枠Ｆ２，Ｆ３が割り当てられるが、これらの枠の割り当ては、レイアウトが選択された段階で自動的に行われてもよいし、ホストとして機能する携帯端末１００−１のユーザが枠の割り当てを決定してもよいし、コラージュ画像の作成に参加する各ユーザが、それぞれ自分の画像を合成する枠を予約できるようにしてもよい。
【０１８８】
各ユーザが、それぞれ自分の画像を合成する枠を予約（選択）する場合、ある携帯端末（ユーザ）はレイアウト内の複数の枠から任意の枠を選択することができ、この枠の選択によりその携帯端末に枠が予約される（割り当てられる）。
【０１８９】
予約された枠の情報は他の携帯端末に送信され、他の携帯端末はその予約された枠の編集ができないように排他制御する処理に遷移し、予約された枠の選択ができなくなる。したがって、他の携帯端末（ユーザ）は、レイアウト内の未予約の枠の中ら自分の画像を合成する１つ（編集対象）の枠を予約（選択）することになる。また、ある携帯端末で枠の選択解除もしくは編集・送信が完了すると、他の携帯端末（ユーザ）はその枠の選択が可能になる。
【０１９０】
但し、画像が選択された後、その画像の編集を行わずに、「送信」ボタンを操作することで画像を送信することも可能である。
【０１９１】
［コラージュ画像作成システムの第２実施形態］
図２４は、本発明に係るコラージュ画像作成システムの第２実施形態を示すシステム構成図である。
【０１９２】
図２３に示す第２実施形態のコラージュ画像作成システム２は、複数のユーザが所有する複数の携帯端末１００−１〜１００−Ｎと、インターネット等の広域のネットワーク２０と、ネットワーク２０に接続されたサーバ３０とから構成されている。
【０１９３】
複数の携帯端末１００−１〜１００−Ｎは、図１に示した携帯端末と同様のものであるが、各携帯端末１００−１〜１００−Ｎは、アクセスポイントＡＰ−１，ＡＰ−２、…、ＡＰ−ｎ、ネットワーク２０、サーバ３０を介して地理的に離れた地点の携帯端末１００−１〜１００−Ｎ間での通信が可能になっている。
【０１９４】
アクセスポイントＡＰ−１，ＡＰ−２、…、ＡＰ−ｎは、例えば、携帯キャリアの基地局、無線ＬＡＮ（Local Area Network）ルータ、無線ＬＡＮホットスポット等である。各携帯端末１００−１〜１００−Ｎは、通信部１１１により通信可能なアクセスポイント、及びネットワーク２０を介して他の携帯端末と相互に無線通信する。
【０１９５】
サーバ３０は、コラージュ画像を作成する複数の携帯端末（１つのホストとして機能する携帯端末とクライアントとして機能する１以上の携帯端末）間で、各携帯端末からの要求に応じた通信を可能する役割を果たすサービスサーバである。
【０１９６】
第２実施形態のコラージュ画像作成システム２によれば、携帯端末１００−１〜１００−Ｎを有する遠隔地の複数のユーザが協働して１つのコラージュ画像を作成することができる。
【０１９７】
［その他］
本実施形態では、ホストとして機能する携帯端末１００−１がコラージュ画像を作成し、作成したコラージュ画像をプリンタ１０に出力することができるが、これに限らず、ホスト又はクライアントとして機能する全ての携帯端末がそれぞれコラージュ画像を作成及び表示し、作成したコラージュ画像をプリンタ１０に出力してもよい。
【０１９８】
また、図２に示した携帯端末１００はカメラ部１０８を有するが、図４及び図５に示した第１実施形態の携帯端末はカメラ部を有しないものでもよい。
【０１９９】
携帯端末のハードウェア的な構造は、次に示すような各種のプロセッサ（processor）を含む。各種のプロセッサには、ソフトウェア（プログラム）を実行して各種の制御部として機能する汎用的なプロセッサであるＣＰＵ（Central Processing Unit）、ＦＰＧＡ（Field Programmable Gate Array）などの製造後に回路構成を変更可能なプロセッサであるプログラマブルロジックデバイス（Programmable Logic Device：ＰＬＤ）、ＡＳＩＣ（Application Specific Integrated Circuit）などの特定の処理を実行させるために専用に設計された回路構成を有するプロセッサである専用電気回路などが含まれる。
【０２００】
１つの処理部は、これら各種のプロセッサのうちの１つで構成されていてもよいし、同種又は異種の２つ以上のプロセッサ（例えば、複数のＦＰＧＡ、あるいはＣＰＵとＦＰＧＡの組み合わせ）で構成されてもよい。また、複数の制御部を１つのプロセッサで構成してもよい。複数の制御部を１つのプロセッサで構成する例としては、第１に、クライアントやサーバなどのコンピュータに代表されるように、１つ以上のＣＰＵとソフトウェアの組合せで１つのプロセッサを構成し、このプロセッサが複数の制御部として機能する形態がある。第２に、システムオンチップ（System On Chip：ＳｏＣ）などに代表されるように、複数の制御部を含むシステム全体の機能を１つのＩＣ（Integrated Circuit）チップで実現するプロセッサを使用する形態がある。このように、各種の制御部は、ハードウェア的な構造として、上記各種のプロセッサを１つ以上用いて構成される。
【０２０１】
また、本発明は、汎用の携帯端末にインストールされることにより、本発明に係るコラージュ画像作成システムを構成する携帯端末として各種の機能（レイアウト選択機能、レイアウト表示制御機能、表示制御機能、編集機能、画像合成機能等）を実現させるコラージュ画像作成プログラム、及びこのプログラムが記録された記録媒体を含む。
【０２０２】
更に、本発明は上述した実施形態に限定されず、本発明の精神を逸脱しない範囲で種々の変形が可能であることは言うまでもない。
【符号の説明】
【０２０３】
１、２  コラージュ画像作成システム
１０  プリンタ
１２  インスタントフィルム
１６  電源ボタン
２０  ネットワーク
３０  サーバ
１００、１００−１、１００−２、１００−３、１００−Ｎ  携帯端末
１０１  ＣＰＵ
１０４  内蔵メモリ
１０５  ディスプレイ
１０６  タッチパッド
１０７  ＧＰＳ受信部
１０８  カメラ部
１０９  マイク部
１１０  スピーカ部
１１１  通信部
１１１Ａ、１１２Ａ  アンテナ
１１２  近距離無線通信部
１１３  センサ部
１１４  メディアドライブ
１１５  メモリカード
１２０、１２１  操作部
１２２  レイアウト選択部
１２４  第１画像選択部
１２５  第２画像選択部
１２６  第１編集指示受付部
１２７  第２編集指示受付部
１２８  プリント指示受付部
１３０  第１編集部
１３１  第２編集部
１３２  画像合成部
１３４  第１レイアウト表示制御部
１３５  第２レイアウト表示制御部
１３６  第１表示制御部
１３７  第２表示制御部
２００  トップ画面
Ａ１、Ａ２、Ａ３、ＰＩ、ＰＬ  領域
ＡＰ−１、ＡＰ２、ＡＰ−ｎ  アクセスポイント
ＢＢ  「バック」ボタン
Ｆ１、Ｆ２、Ｆ３  枠
ＭＡ１  第１グループ表示領域
ＭＡ２  第２グループ表示領域
ＭＡ３  プリンタ情報表示領域
ＭＢ１  「シンプルプリント」ボタン
ＭＢ２  「ムービープリント」ボタン
ＭＢ３  「インスタントカメラ」ボタン
ＭＢ４  「テンプレートプリント」ボタン
ＭＢ５  「コラージュプリント」ボタン
ＭＢ６  「相性診断」ボタン
ＭＢ７  「みんなでコラージュ」ボタン
ＭＢ１１  「シンプルプリント」ボタン
ＭＢ１２  「お楽しみモード」ボタン
ＭＢ１３  「画像の編集」ボタン
ＭＢ１４  「送信」ボタン
ＭＢ１５  「編集完了」ボタン
ＭＧ１  第１グループ
ＭＧ２  第２グループ
Ｓ１００〜Ｓ２５６  ステップ
ＳＥＢ  「設定」ボタン
ＳＴ  「スタート」ボタン
ＴＢ  「トップ」ボタン
【図１】
2020166312.tif 000003
【図２】
2020166312.tif 000004
【図３】
2020166312.tif 000005
【図４】
2020166312.tif 000006
【図５】
2020166312.tif 000007
【図６】
2020166312.tif 000008
【図７Ａ】
2020166312.tif 000009
【図７Ｂ】
2020166312.tif 000010
【図７Ｃ】
2020166312.tif 000011
【図８】
2020166312.tif 000012
【図９】
2020166312.tif 000013
【図１０】
2020166312.tif 000014
【図１１】
2020166312.tif 000015
【図１２】
2020166312.tif 000016
【図１３】
2020166312.tif 000017
【図１４】
2020166312.tif 000018
【図１５】
2020166312.tif 000019
【図１６】
2020166312.tif 000020
【図１７】
2020166312.tif 000021
【図１８】
2020166312.tif 000022
【図１９】
2020166312.tif 000023
【図２０】
2020166312.tif 000024
【図２１】
2020166312.tif 000025
【図２２Ａ】
2020166312.tif 000026
【図２２Ｂ】
2020166312.tif 000027
【図２３】
2020166312.tif 000028
【図２４】
2020166312.tif 000029